(57)【要約】【課題】視覚的な使用表示を有するシリンジの提供。【解決手段】電動注入器が、前回の医療処置において電動注入器シリンジから流体を放出したか否かを視覚的に表示するためのシステムおよび方法を提示する。これに関して、該システムおよび方法は、概して、電動注入器および電動注入器とともに使用するためのシリンジを提供する。シリンジは、操作者が状態の変化を視認し得るように、電動注入器がシリンジから流体を放出するのとほぼ同時に、第１の状態と第２の状態との間において移動する視覚的な表示器を含む。【選択図】図５Ｃ
2014138902.tif 000002
【特許請求の範囲】
【請求項１】
本願明細書に記載された発明。
【発明の詳細な説明】
【技術分野】
【０００１】
（関連出願の相互参照）
本願は、米国仮特許出願第６１／１４９，７２０号（名称「ＳＹＲＩＮＧＥ  ＷＩＴＨ  ＶＩＳＵＡＬ  ＵＳＥ  ＩＮＤＩＣＡＴＩＯＮ」、２００９年２月４日出願）の優先権を主張する。
【０００２】
（発明の分野）
本発明は、概して、シリンジの分野に関し、より具体的には、流体が以前にシリンジから放出された可能性があるという情報を提供することに関する。
【背景技術】
【０００３】
種々の医療処置は、１つ以上の医用流体が患者に注入されることを要求する。例えば、医用撮像処置は、しばしば、おそらく生理食塩水または他の流体とともに、患者への造影剤の注入を伴う。他の医療処置は、治療目的で患者に１つ以上の流体を注入することを伴う。電動注入器が、これらの種類の用途に使用され得る。
【０００４】
電動注入器は概して、一般的にパワーヘッドと呼ばれるものを含む。１つ以上のシリンジが、種々の方式で（例えば、着脱可能式、後方装填式、前方装填式、側面装填式）パワーヘッドに載置され得る。各シリンジは、一般的には、シリンジプランジャ、ピストン、または同等物として特徴付けられ得るものを含む。シリンジドライバの動作が、シリンジの筒の内側で、およびそれに対して、関連したシリンジを軸方向に前進させるように、それぞれのそのようなシリンジプランジャは、パワーヘッドに組み込まれる適切なシリンジドライバと連動する（例えば、接触および／または一時的に相互接続する）ように設計される。１つの一般的なシリンジドライバは、ネジ山付き主ネジまたは駆動ネジに載置されるラムの形態である。１つの回転方向への駆動ネジの回転が、１つの軸方向に関連ラムを前進させる一方で、反対の回転方向への駆動ネジの回転は、反対の軸方向に関連ラムを前進させる。
【０００５】
電動注入器シリンジは、使い捨て、すなわち単回注入にのみ使用され得る。電動注入器シリンジが再利用される場合、それは、後続の注入で使用するための流体が再装填される前に滅菌されるべきである。
【発明の概要】
【課題を解決するための手段】
【０００６】
本明細書で使用されるような、「流体的に分離される」等のフレーズは、流体が構成要素間で流動することが不可能である、構成要素間の関係を表す。例えば、２つの構成要素が相互から流体的に分離されている場合、流体は、その時点で、一方の構成要素から他方の構成要素に流動することが不可能である。そのように流動が不可能であることは、２つの構成要素間のそのような流動を防止するように位置付けられている、１つ以上の弁による場合がある。特定の構成要素は、常に、相互から流体的に分離されていてもよい。
【０００７】
本明細書で使用されるような、「流体的に相互接続された」、「〜と流体連通している」、「〜と流体的に連通する」等のフレーズのそれぞれは、流体が構成要素間で流動することが可能である、構成要素間の関係を表す。そのように流動が可能であることは、２つの構成要素間のそのような流動を可能にするように位置付けられている、１つ以上の弁による場合がある。特定の構成要素は、常に、相互と流体連通していてもよい。例えば、「患者と流体的に相互接続される注入デバイス」は、流体が、注入デバイスから任意の中間構成要素（（例えば、管類、コネクタ）を介して患者へ（例えば、患者の血管系の中へ）流動することができる、構成を表す。
【０００８】
本発明の第１の側面は、シリンジプランジャドライバとシリンジとを含む電動注入器によって具現化される。シリンジプランジャドライバは、プランジャインターフェースと、プランジャインターフェースを複数の方向（例えば、軸方向経路に沿った各方向）に移動させるように動作可能なモータ式駆動源とを含む。シリンジは、内部流体放出チャンバと、この流体放出チャンバ内に移動可能に配置されるシリンジプランジャと、流体放出チャンバの外側（例えば、シリンジの外面上）に位置する視覚表示器部材とを含む。シリンジから放出するために、シリンジプランジャドライバは、シリンジプランジャと相互作用して、シリンジプランジャを少なくとも第１の方向に移動させる。シリンジプランジャの前進の前に、視覚表示器部材は、第１の状態にあるが、視覚表示器部材は、シリンジプランジャドライバによるシリンジプランジャの移動に反応して、第２の状態に不可逆的に変化させられる。
【０００９】
いくつかの特徴の改良および追加特徴が、本発明の第１の側面に適用可能である。これらの特徴の改良および追加特徴は、個別に、または任意の組み合わせで使用されてもよい。以下の論議は、本発明の第２の側面の論議の開始まで、第１の側面に適用可能である。
【００１０】
シリンジは、シリンジプランジャがシリンジ本体に対して移動可能であり、シリンジプランジャの少なくとも一部（例えば、プランジャヘッド）がシリンジ本体内に配置される、シリンジ本体を含んでもよい。シリンジ本体内のシリンジプランジャを、少なくとも第１の軸方向に移動させるために、シリンジプランジャドライバは、軸方向に移動可能なラムを含んでもよく、プランジャインターフェースは、ラムに沿って移動してもよい。プランジャインターフェースは、シリンジプランジャと相互作用して、それを少なくとも１つの軸方向に移動させる。プランジャインターフェースは、シリンジプランジャドライバが、シリンジプランジャを少なくとも１つの軸方向に移動させるための任意の適切な方法（例えば、機械的連結、磁気連結等）で、シリンジプランジャと相互作用することを可能にするような、任意の適切なサイズ、形状、構成、および／または種類のものであってもよい。
【００１１】
視覚表示器部材は、視覚表示器部材が常にシリンジ内に含有される任意の流体（例えば、流体放出チャンバ内の流体）から分離されたままであるように、シリンジ本体の外側上に配置され得る。例えば、視覚表示器部材は、シリンジ本体とシリンジ本体の外側に取り付けられるラベルとの間に配置されてもよい。操作者が視覚表示器部材を観察することを可能にするために、ラベルは、視覚表示器部材が透明区画を通して見えるように、視覚表示器部材と一致する、少なくとも１つの透明区画を含んでもよい。透明区画は、ラベルの不連続な部分であってもよく、またはラベルの全体と一致してもよく、透明区画は、透明区画を通した可視的変化の視認に適応する任意の材料から形成され得る。例えば、透明区画は、操作者が透明区画を通して可視的変化を認識し得る限り、透明または半透明色であってもよい。
【００１２】
視覚表示器部材それ自体は、感圧材料の形態であってもよい。この感圧材料は、圧力の変化に光学的に検出可能な反応を示す任意の材料（例えば、感圧接着剤、ポリマー、ゲル、発泡体等）を含んでもよい。例えば、感圧材料は、ラベル接着剤、ラベルとシリンジ本体との間に配置される別個の材料の形をとってもよく、またはラベル自体に組み込まれてもよい。流体放出チャンバの外側（例えば、シリンジ本体の外側上）に配置される場合、感圧材料は、圧力変化への曝露に反応して、第１の色から第２の色に変化し得る。したがって、シリンジプランジャがシリンジから流体を放出する方向に前進するにつれて、シリンジ本体内の圧力が増加し、それによって、感圧材料は第１の状態（例えば、第１の色）から第２の状態（例えば、第２の色）に変化する。
【００１３】
視覚表示器部材はまた、流体源の形態であってもよい。流体源は、容器内に第１の流体を含んでもよい。第１の流体は、表示流体が流動することを可能にする適切な粘度の任意の可視的表示流体（例えば、着色流体、例えば、液体）であってもよく、容器は、少なくとも特定の圧力への曝露時に破裂するような、任意の変形可能、可鍛性の、および／または破裂可能な材料から形成されてもよい（例えば、ブリスター包装）。
【００１４】
視覚表示器部材は、流体源と相互接続可能な流路をさらに含んでもよい。流路は、視覚表示器部材が第１の状態にある時（すなわち、流体源が破裂する前）に、第１の流体および流路が流体的に分離されるが、視覚表示器部材が第２の状態（すなわち、流体源が破裂した後）にある時に、第１の流体が流動するように構成されてもよい。流路は、シリンジの外側に差し込まれるか、または完全に収納され、かつ流体源から後退するチャネルであってもよい。チャネルは、流体がシリンジ本体の可視的部分（例えば、シリンジ本体の長さの少なくとも約１０％）に沿ってチャネル内を流動することを可能にするような、任意の適切なサイズ、形状、および／または構成であってもよい。さらに、ラベルは、流路を覆って配置されてもよい（第１の流体がラベルとシリンジの外側との間に含有されるように）。操作者が視覚表示器部材を観察することを可能にするために、ラベルは、視覚表示器部材が透明区画を通して見えるように視覚表示器部材と一致する、少なくとも１つの透明区画を含んでもよい。透明区画は、ラベルの不連続な部分であってもよく、またはラベルの全体と一致してもよく、透明区画は、透明区画を通した可視的変化の視認に適応する任意の材料から形成され得る。例えば、透明区画は、操作者が透明区画を通して可視的変化を認識し得る限り、透明または半透明色であってもよい。
【００１５】
一実施形態では、流体源は、移動可能な部材と整列していてもよい。この移動可能な部材は、シリンジの構造に組み込まれてもよい。例えば、移動可能な部材は、流体源を受容するような任意の適切なサイズ、形状、および／または構成であってもよい、シリンジの表面のディンプル、中空、または陥凹であってもよい。第１の位置において、移動可能な部材は、シリンジの内側に対して凸状、およびシリンジの外側に対して凹状であってもよい。第２の位置において、移動可能な部材は、シリンジの外側に対して凸状、およびシリンジの内側に対して凹状であってもよい。移動可能な部材は、シリンジプランジャがシリンジから流体を放出する方向に前進するにつれて、シリンジ内に生じるシリンジ内部の圧力増加に反応して、第１と第２の位置との間で移動するか、または反転し得る。この反転または第１と第２の位置との間での移動は、移動可能な部材と別の構造（例えば、被覆ラベル）との間で流体源を圧縮し得、それによって、流体源が破裂し、表示流体を放出し、流路を下方に流動させ、電動注入器がシリンジから流体を放出したという視覚表示器として機能させる。
【００１６】
一実施形態では、シリンジは、シリンジが加圧された時にシリンジ本体を抑制するように構成される、圧力ジャケット内に配置されてもよい。圧力ジャケットは、シリンジ本体を完全に包囲し、加圧されたシリンジからのある程度の外向きの力に耐え、加圧されたシリンジが電動注入器によって完全に加圧された時に破裂することを防止するような、任意の適切なサイズ、形状、構成、および／または種類であってもよい。本実施形態では、移動可能な部材は、シリンジ筒とシリンジ本体の放出ポートとの間に位置するシリンジの変形可能な錐台状の区画であってもよい。流体源は、シリンジの外面と圧力ジャケットの対応する内面との間の錐台状の表面上に配置されてもよい。シリンジプランジャドライバがシリンジから流体を放出する方向にシリンジプランジャを前進させるにつれて、移動可能な部材は、変形し得る、および／またはシリンジは、シリンジ内に生じる圧力増加に反応して、圧力ジャケットに対して軸方向に移動し得る。この変形および／またはシリンジ移動は、シリンジの外面と圧力ジャケットの内面との間で流体源を圧縮し得、それは、流体源を破裂させ、表示流体を放出し、流路に沿って流動させ得る。
【００１７】
本発明の第２の側面は、シリンジプランジャドライバと、光源と、シリンジとを含む、電動注入器によって具現化される。シリンジプランジャドライバは、プランジャインターフェースと、プランジャインターフェースを複数の方向（例えば、軸方向経路に沿った各方向）に移動させるように動作可能なモータ式駆動源とを含む。シリンジは、シリンジプランジャと、光源の起動に反応して第１の状態と第２の状態との間で不可逆的に変化する、視覚表示器部材とを含む。
【００１８】
本発明の第３の側面は、電動注入器の動作方法によって具現化される。この方法は、視覚表示器の色を変化させるために、シリンジ上の視覚表示器部材を光源からの出力に曝露させるステップと、ラムを前進させ、次いで、ラムがシリンジプランジャを前進させるステップとを含む。
【００１９】
いくつかの特徴の改良および追加特徴が、本発明の第２および第３の側面に適用可能である。これらの特徴の改良および追加特徴は、個別に、または任意の組み合わせで使用されてもよい。以下の論議は、本発明の第４の側面の論議の開始まで、第２および第３の側面に適用可能である。
【００２０】
光源は、任意の適切な種類であってもよく、任意の適切な波長または波長の組み合わせの光（例えば、紫外線（「ＵＶ」）光）を放射してもよい。光源の動作は、電動注入器によって制御されてもよく、光源は、手動で起動されてもよく（例えば、臨床医によって）、またはその両方であってもよい。光源は、任意の適切な方法で、電動注入器によって組み込まれてもよい。例えば、電動注入器は、任意の適切なサイズ、形状、構成、および／または種類のパワーヘッドを含んでもよく、光源は、パワーヘッドの構造に組み込まれてもよい。光源はまた、任意の適切な方法および任意の適切な位置で、電動注入器に取り外し可能に載置され得る。一実施形態では、光源は、手持ち式ユニットであり、手動で操作されてもよい。
【００２１】
視覚表示器部材は、視覚表示器部材が常にシリンジ内に含有される任意の流体から流体的に分離されたままであるように、シリンジの外側上に配置され得る。例えば、視覚表示器部材は、シリンジ本体とラベルとの間に配置されてもよい。操作者が視覚表示器部材を観察することを可能にするために、ラベルは、視覚表示器部材が透明区画を通して見えるように、視覚表示器部材と一致する、少なくとも１つの透明区画を含んでもよい。透明区画は、ラベルの不連続な部分であってもよく、またはラベルの全体と一致してもよく、透明区画は、透明区画を通した可視的変化の視認に適応する任意の材料から形成され得る。例えば、透明区画は、操作者が透明区画を通して可視的変化を認識し得る限り、透明または半透明色であってもよい。
【００２２】
視覚表示器部材それ自体は、少なくともある特定の光（例えば、紫外線感受性接着剤、ゲル、発泡体、塗料等）に光学的に検出可能な反応を示す、任意の適切な感光性材料から形成されてもよい。例えば、感光性材料は、ラベル接着剤、ラベルの下に配置される別個の材料の形をとってもよく、またはラベル自体の構造に組み込まれてもよい。シリンジ本体の外側上に配置される場合、視覚表示器部材は、少なくともある特定の光への曝露によって、第１の色から第２の色に変化し得、それによって、電動注入器がシリンジから流体を放出したという視覚表示を操作者に提供する。
【００２３】
光曝露は、シリンジから流体を放出するためのシリンジプランジャの前進の前後いずれかに生じてもよい。さらに、操作者は、手動で曝露を開始してもよく、または曝露は、曝露が適切な時点で電動で生じるように、注入または動作プロトコルに統合されてもよい。
【００２４】
本発明の第４の側面は、シリンジによって具現化される。シリンジの構成要素は、内面と、外面とを有するシリンジ本体と、シリンジ本体内に移動可能に配置されるシリンジプランジャと、シリンジ本体の外面上に配置されるラベルと、ラベルとシリンジ本体の外面との間に配置される感圧材料とを含む。
【００２５】
いくつかの特徴の改良および追加特徴が、本発明の第４の側面に適用可能である。これらの特徴の改良および追加特徴は、個別に、または任意の組み合わせで使用されてもよい。以下の論議は、本発明の第５の側面の論議の開始まで、第４の側面に適用可能である。
【００２６】
シリンジプランジャは、電動注入器のシリンジプランジャドライバと相互作用するように適合される連結部を含む、近位端を有してもよい。電動注入器は、シリンジで使用するために適合される任意の適切な電動注入器であってもよく、連結部は、シリンジプランジャドライバがシリンジプランジャと相互作用して、シリンジプランジャを少なくとも１つの方向に移動させることを可能にするような、任意の適切なサイズ、形状、構成、および／または種類であってもよい。
【００２７】
操作者が感圧材料を観察することを可能にするために、ラベルは、シリンジ本体の外面上に配置されてもよく、さらに、該材料が透明区画を通して見えるように、感圧材料と一致する、少なくとも１つの透明区画を含んでもよい。透明区画は、ラベルの不連続な部分であってもよく、またはラベルの全体と一致してもよく、透明区画は、透明区画を通した可視的変化の視認に適応する任意の材料から形成され得る。例えば、透明区画は、操作者が透明区画を通して可視的変化を認識し得る限り、透明または半透明色であってもよい。
【００２８】
感圧材料それ自体は、圧力の変化に光学的に検出可能な反応を示す、任意の材料であってもよい（例えば、感圧接着剤、ポリマー、ゲル、発泡体等）。例えば、感圧材料は、ラベル接着剤、またはラベルの下に配置される別の独立した材料の形をとってもよい。ラベルとシリンジ本体の外面との間に配置される場合、感圧材料は、圧力変化に反応して第１の色から第２の色に変化し得る。つまり、少なくとも第１の圧力への曝露前に、感圧材料は、第１の状態（例えば、第１の色）にあり、少なくとも第１の圧力への曝露後に、感圧材料は、第２の状態（例えば、第２の色）に不可逆的に変化させられる。
【００２９】
本発明の第５の側面は、シリンジ本体を有するシリンジによって具現化され、シリンジ本体は、内部流体放出チャンバを含む。シリンジは、シリンジ本体内（例えば、流体放出チャンバ内）に移動可能に配置されるシリンジプランジャと、流体放出チャンバの外側に配置される流体源と、流体源と整列している移動可能な部材とをさらに含む。
【００３０】
本発明の第６の側面は、電動注入器を操作するための方法によって具現化される。該方法は、シリンジのシリンジプランジャを前進させるためにラムを前進させるステップと、シリンジプランジャが前進するにつれてシリンジ内に生成される差圧に反応して、シリンジの第１の部分を拡張するステップと、シリンジのこの拡張に反応して、第１の視覚表示器を起動するステップとを含む。
【００３１】
いくつかの特徴の改良および追加特徴が、本発明の第５および第６の側面に適用可能である。これらの特徴の改良および追加特徴は、個別に、または任意の組み合わせで使用されてもよい。
【００３２】
第１の視覚表示器は、容器内に第１の流体を含む流体源であってもよい。第１の流体は、表示流体が流動することを可能にする適切な粘度の任意の可視的表示流体（例えば、着色流体等）であってもよく、容器は、少なくともある特定の圧力への曝露時に破裂する、変形可能、可鍛性、および／または破裂可能な材料から形成されてもよい（例えば、ブリスター包装）。
【００３３】
さらに、シリンジは、流体源と流体的に相互接続可能な流路を含んでもよい。流路は、シリンジの外側に差し込まれるか、または完全に収納され（例えば、シリンジの内側流体放出チャンバから流体的に分離されるように）、かつ流体源からシリンジ本体の可視的部分を下方に（例えば、シリンジ本体の長さの少なくとも約１０％を下方に）延在する、チャネルであってもよい。第１の状態（すなわち、シリンジ本体から流体を放出するためのシリンジプランジャの前進前）において、流体源および流路は、流体的に分離されてもよく、一方で、第２の状態（すなわち、シリンジプランジャの前進に反応した差圧の発生）において、流体源は、流路と連通する。ラベルは、流体源およびチャネルのそれぞれを覆って配置されてもよい。ラベルは、チャネルの少なくとも一部と一致する透明区画を含んでもよい。透明区画は、ラベルの不連続な部分であってもよく、またはラベルの全体と一致してもよく、透明区画は、透明区画を通した可視的変化の視認に適応する任意の材料から形成され得る。例えば、透明区画は、操作者が透明区画を通して可視的変化を認識し得る限り、透明または半透明色であってもよい。
【００３４】
一実施形態では、移動可能な部材は、シリンジの構造において形成されるディンプル、中空、または陥凹であってもよい。移動可能な部材は、流体源を受容するような任意の適切なサイズ、形状、および／または構成であってもよい。第１の位置において、かつシリンジから流体を放出するためのシリンジプランジャの移動前に、移動可能な部材は、シリンジの内側に対して凸状、およびシリンジの外側に対して凹状であってもよい。シリンジプランジャがシリンジ本体から流体を放出するために前進するにつれて、差圧が生じる。この差圧に反応して、移動可能な部材は、移動可能な部材がその時点でシリンジの内側に対して凹状、およびシリンジの外側に対して凸状であるように、第１の位置から第２の位置に移動（例えば、反転）してもよい。移動可能な部材の反転、または第１と第２の位置との間での移動は、移動可能な部材と別の構造（例えば、シリンジの外側上のラベル）との間で流体源を圧縮してもよく、それによって、流体源を破裂させ、第１の流体を放出し、流路に沿って流動させ、操作者がラベルの透明区画を通して得られる色変化を視認し、かつ流体がシリンジから放出されたことを知り得る。
【００３５】
一実施形態では、シリンジは、シリンジが加圧された時にシリンジ本体を抑制するように構成される圧力ジャケット内に配置されてもよい。圧力ジャケットは、シリンジ本体をを完全に包囲し、加圧されたシリンジからのある程度の外向きの力に耐え、加圧されたシリンジが完全に加圧された時に破裂することを防止するような、任意の適切なサイズ、形状、構成、および／または種類であってもよい。本実施形態では、移動可能な部材は、シリンジ筒とシリンジ本体の放出ポートとの間に位置するシリンジの変形可能な錐台状の区画であってもよい。流体源は、シリンジの外面と圧力ジャケットとの間の錐台状の表面と一致してもよい。
【００３６】
シリンジプランジャがシリンジ本体から流体を放出するために前進するにつれて、変形可能な区画は、内向きに変形してもよく、および／またはシリンジは、圧力ジャケットに対して軸方向に移動し、シリンジの外面と圧力ジャケットの内面との間で流体源を圧縮してもよい。結果として、流体源は破裂し、表示流体は、流路を下方に流動し、ラベルの透明部分を通して操作者が見ることができ、それによって、電動注入器がシリンジから流体を放出したという視覚表示を提供する。
【００３７】
いくつかの特徴の改良および追加特徴が、本発明の上記の第１、第２、第３、第４、第５、および第６の側面のそれぞれに、別々に適用可能である。これらの特徴の改良および追加特徴は、上記の第１、第２、第３、第４、第５、および第６の側面のそれぞれに関して、個別に、または任意の組み合わせで使用されてもよい。「単数の」という文脈または同等物に限定されることを目的とする、本発明の任意の他の種々の側面の任意の特徴は、「唯一の」、「単一の」、「限定される」、または同等物等の用語によって、本明細書で明確に説明される。一般的に受け入れられている根拠の実践に従って特徴を導入するだけでは、対応する特徴を単数に限定しない（例えば、電動注入器が「１つのシリンジ」を含むことを示すだけでは、電動注入器が単一のシリンジしか含まないことを意味しない）。また、「少なくとも１つの」等の語句を使用しないことも、対応する特徴を単数に限定しない（例えば、電動注入器が「１つのシリンジ」を含むことを示すだけでは、電動注入器が単一のシリンジしか含まないことを意味しない）。最後に、特定の特徴に関する「少なくとも概して」または同等物といった語句の使用は、対応する特性およびそのごくわずかな変化例を包含する（例えば、シリンジ筒が少なくとも概して円筒形であると示すことで、円筒形であるシリンジ筒を包含する）。
【００３８】
流体放出を提供するために利用されてもよい、任意の電動注入器は、任意の適切なサイズ、形状、構成、および／または種類であってもよい。任意のそのような電動注入器は、任意の適切なサイズ、形状、構成、および／または種類の１つ以上のシリンジプランジャドライバを利用してもよく、その場合、それぞれのそのようなシリンジプランジャドライバは、少なくとも双方向移動（例えば、流体を放出するための第１の方向の移動、流体の装填に適応するため、後続の流体放出動作のための位置に戻るための第２の方向の移動）が可能であり、それぞれのそのようなシリンジプランジャドライバは、（例えば、流体を放出するように）少なくとも１つの方向にシリンジプランジャを前進させることができるよう、任意の適切な方式で（例えば、機械的接触によって、（機械的または別様の）適切な連結によって）、その対応するシリンジプランジャと相互作用してもよい。各シリンジプランジャドライバは、任意の適切なサイズ、形状、構成、および／または種類の１つ以上の駆動源を利用してもよい。複数の駆動源出力が、所与の時に単一のシリンジプランジャを前進させるように任意の適切な方式で組み合わせられてもよい。１つ以上の駆動源が、単一のシリンジプランジャドライバ専用であってもよく、１つ以上の駆動源が、複数のシリンジプランジャドライバと関連してもよく（例えば、１つのシリンジプランジャから別のシリンジプランジャに出力を変更するように、ソートの伝送を組み込む）、またはそれらの組み合わせである。代表的な駆動源の形態は、ブラシ付きまたはブラシレス電気モータ、油圧モータ、空気モータ、圧電モータ、またはステッピングモータを含む。
【００３９】
任意のそのような電動注入器は、任意の適切な医療用途（例えば、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像）を無制限に含む、１つ以上の医用流体の送達が所望される任意の適切な用途に使用されてもよい。任意のそのような電動注入器は、適切な撮像システム（例えば、ＣＴスキャナ）等の、任意の構成要素または構成要素の組み合わせと併せて使用されてもよい。例えば、任意のそのような電動注入器と１つ以上の他の構成要素との間で、情報を伝えることができる（例えば、スキャン遅延情報、注入開始信号、注入速度）。
【００４０】
任意の適切な数のシリンジが、任意の適切な方式で（例えば、着脱可能式、前方装填式、後方装填式、側面装填式）、任意のそのような電動注入器とともに利用されてもよく、任意の適切な医用流体が、任意のそのような電動注入器の所与のシリンジから放出されてもよく（例えば、造影剤、放射性医薬品、生理食塩水、およびそれらの任意の組み合わせ）、任意の適切な流体が、任意の適切な方式で（例えば、連続的に、同時に）複数シリンジ電動注入器構成から放出されてもよく、またはそれらの任意の組み合わせである。一実施形態では、電動注入器の動作によってシリンジから放出される流体は、導管（例えば、医用管類セット）の中へ方向付けられ、その場合、この導管は、任意の適切な方式でシリンジと流体的に相互接続され、流体を所望の場所に（例えば、例として、注入のために患者に挿入されるカテーテルに）方向付ける。複数のシリンジが、（例えば、単一の注入部位に提供するために）共通導管の中へ放出してもよく、または１つのシリンジが、（例えば、１つの注入部位に提供するために）１つの導管の中へ放出してもよい一方で、別のシリンジは、（例えば、異なる注入部位に提供するために）異なる導管の中へ放出してもよい。一実施形態では、各シリンジは、シリンジ筒と、シリンジ筒内に配置され、およびシリンジに対して移動可能であるプランジャとを含む。このプランジャは、シリンジプランジャ駆動アセンブリが、少なくとも１つの方向に、およびおそらくは２つの異なる反対方向に、プランジャを前進させることができるように、電動注入器のシリンジプランジャ駆動アセンブリと連動してもよい。
【００４１】
本明細書に開示するシリンジは、言及するように、電動注入器とともに使用され得る。しかしながら、これらのシリンジは、他の種類の注入デバイスとともに使用されてもよい。例えば、これらのシリンジは、移動可能に相互接続される（例えば、旋回ピンによって）一対のレバーを有する、手持ち式の手動シリンジとともに使用されてもよく、一方のレバーは、シリンジ本体とも移動可能に相互接続され（例えば、旋回ピンによって）、他方のレバーは、プランジャと移動可能に相互接続され（例えば、旋回ピンによって）、使用者の片手がレバーを係合および操作し、シリンジ本体に対するプランジャの位置を変化させることができるようにする。任意の適切な圧力が本明細書において考察する視覚表示を始動させ得るが、一実施形態では、始動圧力は、これらのシリンジが、上昇した圧力を生成することが可能な流体送達デバイスに適し得るような、より上昇したレベルの圧力である。
（項目１）
電動注入器であって、
モータ式駆動源およびプランジャインターフェースを備えるシリンジプランジャドライバであって、該プランジャインターフェースは、該モータ式駆動源の動作によって複数の方向に移動可能である、シリンジプランジャドライバと、
内部の流体放出チャンバ、該流体放出チャンバ内に移動可能に配置されるシリンジプランジャ、および該流体放出チャンバの外側に配置される視覚表示器部材を備える、シリンジと
を備え、
該シリンジプランジャドライバは、該シリンジプランジャと相互作用して、該シリンジプランジャを少なくとも第１の方向に移動させ、該視覚表示器部材は、該シリンジプランジャドライバによる該シリンジプランジャの移動の前には、第１の状態にあり、該視覚表示器部材は、該シリンジプランジャドライバによる該シリンジプランジャの移動に反応して、第２の状態に不可逆的に変化させられる、電動注入器。
（項目２）
前記シリンジプランジャドライバは、前記プランジャインターフェースを備える軸方向に移動可能なラムを備える、項目１に記載の電動注入器。
（項目３）
前記視覚表示器部材は、常に、前記シリンジの前記内部流体放出チャンバから流体的に分離されたままである、項目１〜２のうちのいずれか一項に記載の電動注入器。
（項目４）
前記シリンジは、シリンジ本体を備え、前記シリンジプランジャは、該シリンジ本体内に移動可能に配置され、前記視覚表示器部材は、該シリンジ本体の外側と連動する、項目１〜３のうちのいずれか一項に記載の電動注入器。
（項目５）
前記シリンジに取り付けられるラベルをさらに備え、前記視覚表示器部材は、該ラベルと該シリンジの外側との間に配置される、項目１〜４のうちのいずれか一項に記載の電動注入器。
（項目６）
前記視覚表示器部材は、感圧材料を含む、項目１〜５のうちのいずれか一項に記載の電動注入器。
（項目７）
前記感圧材料に対する前記第１の状態は、第１の色であり、該感圧材料に対する前記第２の状態は、第２の色である、項目６に記載の電動注入器。
（項目８）
前記ラベルは、前記感圧材料と一致する、少なくとも１つの透明区画を備える、項目６〜７のうちのいずれか一項に記載の電動注入器。
（項目９）
前記視覚表示器部材は、流体源を備える、項目１〜５のうちのいずれか一項に記載の電動注入器。
（項目１０）
前記流体源は、容器と、該容器内の第１の流体とを備える、項目９に記載の電動注入器。
（項目１１）
前記第１の流体は、着色液体を備える、項目１０に記載の電動注入器。
（項目１２）
前記容器は、変形可能な部材である、項目１０〜１１のうちのいずれか一項に記載の電動注入器。
（項目１３）
前記容器は、少なくとも特定の圧力への曝露時に破裂する、項目１０〜１２のうちのいずれか一項に記載の電動注入器。
（項目１４）
前記容器は、ブリスター包装を備える、項目１０〜１３のうちのいずれか一項に記載の電動注入器。
（項目１５）
前記視覚表示器部材は、前記流体源と流体的に相互接続可能な流路をさらに備える、項目１０〜１４のうちのいずれか一項に記載の電動注入器。
（項目１６）
前記流体源と前記流路とは、前記視覚表示器部材が前記第１の状態にあるときに、流体的に分離されており、該流体源は、該視覚表示器部材が前記第２の状態にあるときに、該流路と連通する、項目１５に記載の電動注入器。
（項目１７）
前記シリンジは、シリンジ本体を備え、該シリンジ本体の外側は、チャネルを備え、該チャネルは、前記流路を備える、項目１５〜１６のうちのいずれか一項に記載の電動注入器。
（項目１８）
前記チャネルは、前記シリンジ本体の長さの少なくとも約１０％に延在する、項目１７に記載の電動注入器。
（項目１９）
前記チャネルを覆って配置されるラベルをさらに備える、項目１７〜１８のうちのいずれか一項に記載の電動注入器。
（項目２０）
前記シリンジは、前記流体源と整列している移動可能な部材を備える、項目９〜１９のうちのいずれか一項に記載の電動注入器。
（項目２１）
前記移動可能な部材は、前記シリンジプランジャの前進によって生じる差圧に反応して第１の位置から第２の位置まで移動する、項目２０に記載の電動注入器。
（項目２２）
流体は、前記第１の位置から前記第２の位置まで移動する前記移動可能な部材に反応して前記流体源から放出される、項目２１に記載の電動注入器。
（項目２３）
移動可能な部材は、ディンプルを備える、項目２０〜２２のうちのいずれか一項に記載の電動注入器。
（項目２４）
前記ディンプルは、前記シリンジプランジャの移動に反応して反転する、項目２３に記載の電動注入器。
（項目２５）
前記ディンプルは、前記シリンジから流体を放出する方向への前記シリンジプランジャの移動の前には、該シリンジの内側で凸状であり、該シリンジの外側で凹状である、項目２３〜２４のうちのいずれか一項に記載の電動注入器。
（項目２６）
前記シリンジから流体を放出する方向への前記シリンジプランジャの移動は、前記ディンプルが該シリンジの内側で凹状であり、該シリンジの外側で凸状であるように、該ディンプルを反転させる、項目２５に記載の電動注入器。
（項目２７）
前記シリンジプランジャの移動に反応した前記ディンプルの反転は、前記流体源を破裂させる、項目２３〜２６のうちのいずれか一項に記載の電動注入器。
（項目２８）
前記移動可能な部材は、前記シリンジの変形可能な区画を備える、項目２０〜２２のうちのいずれか一項に記載の電動注入器。
（項目２９）
前記シリンジは、交互に筒と放出ポートとを備えるシリンジ本体を備え、前記流体源は、該シリンジ筒と該放出ポートとの間に位置している、項目９〜２８のうちのいずれか一項に記載の電動注入器。
（項目３０）
圧力ジャケットをさらに備え、前記シリンジは、該圧力ジャケット内に配置され、該シリンジは、錐台状の表面を備え、前記流体源は、該シリンジの該錐台状の表面と該圧力ジャケットとの間に配置される、項目９〜２９のうちのいずれか一項に記載の電動注入器。
（項目３１）
前記流体源は、着色液体を備える、項目９〜３０のうちのいずれか一項に記載の電動注入器。
（項目３２）
電動注入器であって、
モータ式駆動源およびプランジャインターフェースを備えるシリンジプランジャドライバであって、該プランジャインターフェースは、該モータ式駆動源の動作によって複数の方向に移動可能である、シリンジプランジャドライバと、
光源と、
シリンジプランジャおよび視覚表示器部材を備える、シリンジと
を備え、
該視覚表示器部材は、該光源の起動前には、第１の状態にあり、該視覚表示器部材は、該光源の起動に反応して第２の状態に不可逆的に変化させられる、電動注入器。
（項目３３）
前記電動注入器は、パワーヘッドを備え、該パワーヘッドは、前記光源を備える、項目３２に記載の電動注入器。
（項目３４）
前記光源は、紫外線光源を備える、項目３２〜３３のうちのいずれか一項に記載の電動注入器。
（項目３５）
前記視覚表示器部材は、前記シリンジの外側に配置される、項目３２〜３４のうちのいずれか一項に記載の電動注入器。
（項目３６）
前記視覚表示器部材は、常に、前記シリンジの流体含有容積から流体的に分離されたままである、項目３２〜３５のうちのいずれか一項に記載の電動注入器。
（項目３７）
前記視覚表示器部材は、ラベルを備える、項目３２〜３６のうちのいずれか一項に記載の電動注入器。
（項目３８）
前記ラベルは、少なくとも１つの透明区画を備える、項目３７に記載の電動注入器。
（項目３９）
前記ラベルは、前記光源の出力に曝露されたときに色を変化させる接着剤を備える、項目３７〜３８のうちのいずれか一項に記載の電動注入器。
（項目４０）
シリンジであって、
内面および外面とを備える、シリンジ本体と、
該シリンジ本体内に移動可能に配置される、シリンジプランジャと、
該シリンジ本体の該外面と係合される、ラベルと、
該ラベルと該シリンジ本体の該外面との間に配置される、感圧材料と
を備える、シリンジ。
（項目４１）
前記シリンジプランジャの近位端は、連結部を備える、項目４０に記載のシリンジ。
（項目４２）
前記シリンジプランジャは、電動注入器のシリンジプランジャドライバと相互作用するように適合される、項目４０〜４１のうちのいずれか一項に記載のシリンジ。
（項目４３）
前記感圧材料は、少なくとも第１の圧力への曝露前には、第１の状態にあり、該感圧材料は、少なくとも該第１の圧力への曝露によって、第２の状態に不可逆的に変化させられる、項目４０〜４２のうちのいずれか一項に記載のシリンジ。
（項目４４）
前記感圧材料に対する前記第１の状態は、第１の色であり、前記感圧材料に対する前記第２の状態は、第２の色である、項目４３に記載のシリンジ。
（項目４５）
前記ラベルは、前記感圧材料と一致する少なくとも１つの透明区画を備える、項目４０〜４４のうちのいずれか一項に記載のシリンジ。
（項目４６）
シリンジであって、
内部の流体放出チャンバを備える、シリンジ本体と、
該シリンジ本体内に移動可能に配置される、シリンジプランジャと、
該流体放出チャンバの外側に配置される、流体源と、
該流体源と整列している、移動可能な部材と
を備える、シリンジ。
（項目４７）
前記流体源は、容器と、該容器内の第１の流体とを備える、項目４６に記載のシリンジ。
（項目４８）
前記容器は、変形可能な部材である、項目４７に記載のシリンジ。
（項目４９）
前記容器は、少なくとも特定の圧力への曝露時に破裂する、項目４７〜４８のうちのいずれか一項に記載のシリンジ。
（項目５０）
前記容器は、ブリスター包装を備える、項目４７〜４９のうちのいずれか一項に記載のシリンジ。
（項目５１）
前記流体源と流体的に相互接続可能な流路をさらに備える、項目４６〜５０のうちのいずれか一項に記載のシリンジ。
（項目５２）
前記流体源と前記流路とは、前記シリンジが第１の状態にあるときに、流体的に分離されており、該流体源は、該シリンジが前記第２の状態にあるときに、該流路と連通する、項目５１に記載のシリンジ。
（項目５３）
前記第１の状態は、前記シリンジ本体から流体を放出するための前記シリンジプランジャの前進の前であり、前記第２の状態は、該シリンジ本体から流体を放出するための該シリンジプランジャの前進に反応した差圧の発達である、項目５２に記載のシリンジ。
（項目５４）
前記シリンジ本体の外面は、チャネルを備え、該チャネルは、前記流路を備える、項目５１〜５３のうちのいずれか一項に記載のシリンジ。
（項目５５）
前記チャネルは、前記シリンジ本体の長さの少なくとも約１０％に延在する、項目５４に記載のシリンジ。
（項目５６）
前記チャネルを覆って配置されるラベルをさらに備える、項目５４〜５５のうちのいずれか一項に記載のシリンジ。
（項目５７）
前記移動可能な部材は、前記シリンジプランジャの前進によって生じる差圧に反応して、第１の位置から第２の位置まで移動する、項目４６〜５６のうちのいずれか一項に記載のシリンジ。
（項目５８）
流体は、前記第１の位置から前記第２の位置まで移動する前記移動可能な部材に反応して、前記流体源から放出される、項目５７に記載のシリンジ。
（項目５９）
前記移動可能な部材は、ディンプルを備える、項目４６〜５８のうちのいずれか一項に記載のシリンジ。
（項目６０）
前記ディンプルは、前記シリンジプランジャの移動に反応して反転する、項目５９に記載のシリンジ。
（項目６１）
前記ディンプルは、前記シリンジから流体を放出する方向への前記シリンジプランジャの移動の前には、該シリンジの内側で凸状であり、該シリンジの外側で凹状である、項目５９〜６０のうちのいずれか一項に記載のシリンジ。
（項目６２）
前記シリンジから流体を放出する方向への前記シリンジプランジャの移動は、前記ディンプルが該シリンジの内側で凹状であり、該シリンジの外側で凸状であるように、該ディンプルを反転させる、項目６１に記載のシリンジ。
（項目６３）
前記シリンジプランジャの移動に反応した前記ディンプルの反転は、前記流体源を破裂させる、項目５９〜６２のうちのいずれか一項に記載のシリンジ。
（項目６４）
前記移動可能な部材は、前記シリンジの変形可能な区画を備える、項目４６〜５８のうちのいずれか一項に記載のシリンジ。
（項目６５）
前記シリンジ本体は、筒と、放出ポートとを備え、前記流体源は、該シリンジ筒と該放出ポートとの間に位置する、項目４６〜６４のうちのいずれか一項に記載のシリンジ。
（項目６６）
前記シリンジは、錐台状の表面を備え、前記流体源は、該錐台状の表面と一致する、項目４６〜６５のうちのいずれか一項に記載のシリンジ。
（項目６７）
前記流体源は、着色液体を備える、項目４６〜６６のうちのいずれか一項に記載のシリンジ。
（項目６８）
電動注入器の動作方法であって、
ラムを前進させることと、
該ラムを前進させるステップに反応して、シリンジのシリンジプランジャを前進させることと、
該シリンジプランジャを前進させるステップによって提供される差圧に反応して、該シリンジの第１の部分を拡張することと、
該拡張するステップに反応して、第１の視覚表示器を起動することと
を含む、方法。
（項目６９）
前記拡張するステップは、ディンプルを反転させることを含む、項目６８に記載の方法。
（項目７０）
前記起動するステップは、前記シリンジの外側に流体の流動を生成することを含む、項目６８〜６９のうちのいずれか一項に記載の方法。
（項目７１）
前記起動するステップは、前記シリンジの流体放出チャンバの外側に配置されるチャネルに、流体を送り込むことを含む、項目６８〜６９のうちのいずれか一項に記載の方法。
（項目７２）
前記起動するステップは、流体源を破裂させることを含む、項目６８〜７１のうちのいずれか一項に記載の方法。
（項目７３）
前記電動注入器は、圧力ジャケットを備え、前記シリンジは、該圧力ジャケット内に配置され、前記起動するステップは、前記拡張するステップに反応して、該シリンジの外側と圧力ジャケットとの間で流体源を圧縮することを含む、項目６８〜７１のうちのいずれか一項に記載の方法。
（項目７４）
前記起動するステップは、前記第１の視覚表示器の色を変化させることを含む、項目６８に記載の方法。
（項目７５）
前記起動するステップは、前記シリンジが前記電動注入器によって使用されたという視覚表示を提供することを含む、項目６８〜７４のうちのいずれか一項に記載の方法。
（項目７６）
電動注入器の動作方法であって、
シリンジ上の視覚表示器部材を、光源からの出力に曝露することと、
該曝露するステップに反応して、該視覚表示器部材の色を変化させることと、
ラムを前進させることと、
該ラムステップを前進させるステップに反応して、シリンジのシリンジプランジャを前進させることと
を含む、方法。
（項目７７）
前記曝露するステップは、紫外線光を使用することを含む、項目７６に記載の方法。
（項目７８）
前記曝露するステップは、前記シリンジプランジャステップを前進させることの前に実行される、項目７６〜７７のうちのいずれか一項に記載の方法。
（項目７９）
前記曝露するステップは、前記シリンジプランジャステップを前進させることの後に実行される、項目７６〜７７のうちのいずれか一項に記載の方法。
（項目８０）
前記色を変化させるステップは、前記シリンジが前記電動注入器によって使用されたという視覚表示を提供することを含む、項目７６〜７９のうちのいずれか一項に記載の方法。
【図面の簡単な説明】
【００４２】
【図１】図１は、電動注入器の一実施形態の概略図である。
【図２Ａ】図２Ａは、携帯型でスタンド載置式の二重ヘッド電動注入器の一実施形態の斜視図である。
【図２Ｂ】図２Ｂは、図２Ａの電動注入器によって使用される、パワーヘッドの拡大部分分解斜視図である。
【図２Ｃ】図２Ｃは、図２Ａの電動注入器によって使用される、シリンジプランジャ駆動アセンブリの一実施形態の概略図である。
【図３】図３は、視覚表示器の一実施形態を利用するシリンジの斜視図である。
【図４Ａ】図４Ａは、図３のシリンジの分解斜視図である。
【図４Ｂ】図４Ｂは、図３のシリンジの断面図である。
【図５Ａ】図５Ａは、視覚表示器の別の実施形態を利用するシリンジの斜視図である。
【図５Ｂ】図５Ｂは、図５Ａのシリンジの分解斜視図である。
【図５Ｃ】図５Ｃは、第１の状態にある図５Ａのシリンジの部分拡大断面図である。
【図５Ｄ】図５Ｄは、流体源の詳細図である。
【図５Ｅ】図５Ｅは、第２の状態にある図５Ａのシリンジの部分拡大断面図である。
【図６Ａ】図６Ａは、視覚表示器の別の実施形態を利用し、電動注入器上の圧力ジャケットと併用される、シリンジの斜視図である。
【図６Ｂ】図６Ｂは、図６Ａのシリンジの分解斜視図である。
【図６Ｃ】図６Ｃは、第１の状態にある図６Ａのシリンジの部分拡大断面図である。
【図６Ｄ】図６Ｄは、図６Ｃのシリンジの一部の詳細図である。
【図６Ｅ】図６Ｅは、第２の状態にある図６Ａのシリンジの部分拡大断面図である。
【図７】図７は、視覚表示器の別の実施形態を利用するシリンジの概略図である。
【発明を実施するための形態】
【００４３】
図１は、パワーヘッド１２を有する電動注入器１０の一実施形態の概略図を提示する。
１つ以上のグラフィカルユーザインターフェースまたはＧＵＩ１１が、パワーヘッド１２と関連付けられ得る。各ＧＵＩ１１は、（１）任意の適切なサイズ、形状、構成、および／または種類であってもよい、（２）任意の適切な方式でパワーヘッド１２と動作可能に相互接続されてもよい、（３）任意の適切な場所に配置されてもよい、（４）電動注入器１０の動作の１つ以上の側面を制御する、電動注入器１０の動作と関連する１つ以上のパラメータを入力／編集する、（例えば、電動注入器１０の動作と関連する）適切な情報を表示するといった、機能のうちのいずれかを提供するように構成されてもよく、または（５）前述の内容の任意の組み合わせである。任意の適切な数のＧＵＩ１１が利用され得る。一実施形態では、電動注入器１０は、パワーヘッド１２とは別であるが、パワーヘッド１２と通信するコンソールによって組み込まれるＧＵＩ１１を含む。別の実施形態では、電動注入器１０は、パワーヘッド１２の一部であるＧＵＩ１１を含む。さらに別の実施形態では、電動注入器１０は、パワーヘッド１２と通信する別個のコンソール上で１つのＧＵＩ１１を利用し、また、パワーヘッド１２上にある別のＧＵＩ１１も利用する。各ＧＵＩ１１は、同じ機能性または一式の機能性を提供することができ、または、ＧＵＩ１１は、それぞれの機能性に関して、少なくともある点で異なってもよい。
【００４４】
シリンジ２８は、このパワーヘッド１２上に設置されてもよく、設置されると、電動注入器１０の一部と見なされてもよい。いくつかの注入処置は、シリンジ２８内で生成される比較的高い圧力をもたらしてもよい。この点で、圧力ジャケット２６内にシリンジ２８を配置することが望ましくてもよい。圧力ジャケット２６は、一般的には、パワーヘッド１２上にシリンジ２８を設置するステップの一部として、またはそのステップの後に、シリンジ２８がその中に配置されることを可能にする方式で、パワーヘッド１２と関連付けられる。同圧力ジャケット２６は、一般的には、種々のシリンジ２８が、複数の注入処置のために、圧力ジャケット２６内に位置付けられ、そこから除去される際に、パワーヘッド１２と関連付けられたままとなる。電動注入器１０が低圧注入のために構成／利用される場合、および／または、電動注入器１０とともに利用されるシリンジ２８が、圧力ジャケット２６によって提供される追加支持なしで、高圧注入に耐えるのに十分な耐久性である場合に、電動注入器１０は、圧力ジャケット２６を排除してもよい。いずれの場合でも、シリンジ２８から放出される流体は、任意の適切な方式でシリンジ２８と流体的に相互接続されてもよく、流体を任意の適切な場所に（例えば、患者に）方向付けてもよい、任意の適切なサイズ、形状、構成、および／または種類の導管３８の中へ方向付けられてもよい。
【００４５】
パワーヘッド１２は、シリンジ２８から流体を放出するためにシリンジ２８（例えば、そのプランジャ３２）と相互作用する（例えば、連動する）シリンジプランジャ駆動アセンブリまたはシリンジプランジャドライバ１４を含む。このシリンジプランジャ駆動アセンブリ１４は、駆動出力１８（例えば、回転可能な駆動ネジ）に電力供給する駆動源１６（例えば、任意の適切なサイズ、形状、構成、および／または種類のモータ、オプションの歯車装置、および同等物）を含む。ラム２０は、駆動出力１８によって、適切な経路（例えば軸方向）に沿って前進させられてもよい。ラム２０は、以下で論議される方式で、シリンジ２８の対応する部分と相互作用または連動するための連結器２２を含んでもよい。
【００４６】
シリンジ２８は、（例えば、双頭矢印Ｂと一致する軸に沿った軸方向の往復移動のために）シリンジ筒３０内に移動可能に配置されるプランジャまたはピストン３２を含む。プランジャ３２は、連結器３４を含み得る。このシリンジプランジャ連結器３４は、シリンジプランジャ駆動アセンブリ１４がシリンジ筒３０内でシリンジプランジャ３２を後退させることを可能にするように、ラム連結器２２と相互作用または連動し得る。シリンジプランジャ連結器３４は、ヘッドまたはボタン３６ｂとともにシリンジプランジャ３２の本体から延在する、シャフト３６ａの形態であってもよい。しかしながら、シリンジプランジャ連結器３４は、任意の適切なサイズ、形状、構成、および／または種類であってもよい。
【００４７】
概して、電動注入器１０のシリンジプランジャ駆動アセンブリ１４は、（例えば、対応するシリンジ２８から流体を放出するように）少なくとも１つの方向に（シリンジ筒３０に対して）シリンジプランジャ３２を移動または前進させることできるよう、任意の適切な方式で（例えば、機械的接触によって、（機械的または別様の）適切な連結によって）シリンジ２８のシリンジプランジャ３２と相互作用してもよい。つまり、シリンジプランジャ駆動アセンブリ１４は、（例えば、同駆動源１６の動作を介して）双方向移動が可能であってもよいが、電動注入器１０は、シリンジプランジャ駆動アセンブリ１４の動作が、実際には、電動注入器１０によって使用されている各シリンジプランジャ３２を１つの方向にしか移動させないように、構成されてもよい。しかしながら、シリンジプランジャ駆動アセンブリ１４は、２つの異なる方向のそれぞれに（例えば、共通軸方向経路に沿った異なる方向に）、それぞれのそのようなシリンジプランジャ３２を移動させることができるよう、電動注入器１０によって使用されている各シリンジプランジャ３２と相互作用するように構成されてもよい。
【００４８】
シリンジプランジャ３２の後退は、後続の注入または放出のために、シリンジ筒３０の中への流体の装填に適応するために利用されてもよく、後続の注入または放出のために、または任意の他の適切な目的で、シリンジ筒３０の中へ流体を実際に引き込むために利用されてもよい。ある構成は、シリンジプランジャ駆動アセンブリ１４がシリンジプランジャ３２を後退させることができることを要求しなくてもよく、その場合、ラム連結器２２およびシリンジプランジャ連結器３４が所望されなくてもよい。この場合、シリンジプランジャ駆動アセンブリ１４は、（例えば、別の事前充填されたシリンジ２８が設置された後に）別の流体送達動作を実行する目的で後退させられてもよい。ラム連結器２２およびシリンジプランジャ連結器３４が利用される時でさえも、ラム２０がシリンジプランジャ３２を前進させて、シリンジ２８から流体を放出する（例えば、ラム２０が、単純にシリンジプランジャ連結器３４、またはシリンジプランジャ３２の近位端を直接「押し進め」てもよい）時に、これらの構成要素は連結されてもされなくてもよい。ラム連結器２２およびシリンジプランジャ連結器３４を連結状態または条件で配置するため、ラム連結器２２およびシリンジプランジャ連結器３４を非連結状態または条件で配置するため、または両方のために、任意の適切な寸法または寸法の組み合わせで、任意の単一の移動または移動の組み合わせが利用されてもよい。
【００４９】
シリンジ２８は、任意の適切な方式でパワーヘッド１２上に設置されてもよい。例えば、シリンジ２８は、パワーヘッド１２上に直接設置されるように構成することができる。図示された実施形態では、シリンジ２８とパワーヘッド１２との間にインターフェースを提供するように、筐体２４がパワーヘッド１２上に適切に載置される。この筐体２４は、シリンジ２８の１つ以上の構成が設置されてもよい、アダプタの形態であってもよく、その場合、シリンジ２８の少なくとも１つの構成は、任意のそのようなアダプタを使用することなく、パワーヘッド１２上に直接設置することができる。筐体２４はまた、シリンジ２８の１つ以上の構成が設置されてもよい、面板の形態であってもよい。この場合、面板は、パワーヘッド１２上にシリンジ２８を設置するために要求されるようなものであってもよく、面板なしでシリンジ２８をパワーヘッド１２上に設置することはできない。圧力ジャケット２６が使用されている時は、シリンジ２８に関して本明細書で論議される種々の方式で、それがパワーヘッド１２上に設置されてもよく、次いで、シリンジ２８は、その後、圧力ジャケット２６の中に設置される。
【００５０】
筐体２４は、シリンジ２８を設置するときに、パワーヘッド１２上に載置され、パワーヘッド１２に対して固定位置にとどまり得る。別の選択肢は、シリンジ２８の設置に適応するように、筐体２４およびパワーヘッド１２を移動可能に相互接続することである。例えば、筐体２４は、双頭矢印Ａを含む平面内を移動して、ラム連結器２２とシリンジプランジャ連結器３４との間で、連結状態または条件および非連結状態または条件のうちの１つ以上を提供してもよい。
【００５１】
１つの特定の電動注入器構成が、図２Ａに図示され、参照数字４０によって識別され、少なくとも概して図１の電動注入器１０に従う。電動注入器４０は、携帯型スタンド４８上に載置されるパワーヘッド５０を含む。電動注入器４０用の一対のシリンジ８６ａ、８６ｂが、パワーヘッド５０上に載置される。流体が、電動注入器４０の動作中にシリンジ８６ａ、８６ｂから放出されてもよい。
【００５２】
携帯型スタンド４８は、任意の適切なサイズ、形状、構成、および／または種類であってもよい。スタンド４８を携帯型にするために、車輪、ローラ、キャスタ、または同等物が利用されてもよい。パワーヘッド５０は、携帯型スタンド４８に対して固定位置で維持することができる。しかしながら、少なくとも何らかの方式で、パワーヘッド５０の位置が携帯型スタンド４８に対して調整可能となることを可能にすることが望ましくあり得る。例えば、シリンジ８６ａ、８６ｂのうちの１つ以上の中へ流体を装填するときに、携帯型スタンド４８に対して１つの位置でパワーヘッド５０を有すること、および注入処置の実施のために携帯型スタンド４８に対して異なる位置でパワーヘッド５０を有することが望ましくあり得る。この点で、パワーヘッド５０は、任意の適切な方式で（例えば、パワーヘッド５０が少なくともある可動域を通して旋回させられ、その後、所望の位置で維持されてもよいように）携帯型スタンド４８と移動可能に相互接続されてもよい。
【００５３】
パワーヘッド５０は、流体を提供するために任意の適切な方式で支持することができると理解されたい。例えば、携帯型構造上に載置される代わりに、パワーヘッド５０は、支持アセンブリと相互接続することができ、支持アセンブリは次に、適切な構造（例えば、天井、壁、床）に載置される。パワーヘッド５０用の任意の支持アセンブリが、（例えば、１つ以上の他の支持区画に対して位置付けし直されてもよい、１つ以上の支持区画を有することによって）少なくとも何らかの点で位置調整可能であってもよく、または、固定位置で維持されてもよい。また、パワーヘッド５０は、固定位置で維持されるよう、または支持アセンブリに対して調整可能となるよう、任意のそのような支持アセンブリと一体化してもよい。
【００５４】
パワーヘッド５０は、グラフィカルユーザインターフェースまたはＧＵＩ５２を含む。このＧＵＩ５２は、電動注入器４０の動作の１つ以上の側面を制御する、電動注入器４０の動作と関連する１つ以上のパラメータを入力／編集する、および（例えば、電動注入器４０の動作と関連する）適切な情報を表示する機能のうちの１つ、または任意の組み合わせを提供するように構成されてもよい。電動注入器４０はまた、それぞれ任意の適切な方式で（例えば、１つ以上のケーブルを介して）パワーヘッド５０と通信してもよい、検査室の中または任意の他の適切な場所でテーブル上に配置されるか、または電子機器ラック上に載置されてもよい、または両方であってもよい、コンソール４２および電力パック４６を含んでもよい。電力パック４６は、注入器４０用の電力供給部、コンソール４２とパワーヘッド５０との間の通信を提供するためのインターフェース回路、遠隔コンソール、遠隔手動または足踏み制御スイッチ、または他の相手先ブランド製造業者（ＯＥＭ）の遠隔制御接続（例えば、電動注入器４０の動作が撮像システムのＸ線被曝と同期化されることを可能にする）等の遠隔ユニットへの電動注入器４０の接続を可能にするための回路、および任意の他の適切な構成要素のうちの１つ以上を、任意の適切な組み合わせで含んでもよい。コンソール４２は、タッチスクリーンディスプレイ４４を含んでもよく、それは順に、操作者が電動注入器４０の動作の１つ以上の側面を遠隔制御することを可能にする、操作者が電動注入器４０の動作と関連する１つ以上のパラメータを入力／編集することを可能にする、操作者が電動注入器４０の電動化動作のためのプログラムを特定し、記憶することを可能にする（後に、操作者による開始時に電動注入器４０によって電動的に実行することができる）、および電動注入器４０の動作と関連し、その動作の任意の側面を含む、任意の適切な情報を表示する機能のうちの１つ以上を、任意の適切な組み合わせで提供してもよい。
【００５５】
パワーヘッド５０とのシリンジ８６ａ、８６ｂの統合に関する種々の詳細を図２Ｂに提示する。シリンジ８６ａ、８６ｂのそれぞれは、同じ一般的構成要素を含む。シリンジ８６ａは、シリンジ筒８８ａ内で可動性に配置される、プランジャまたはピストン９０ａを含む。パワーヘッド５０の動作を介した、軸１００ａ（図２Ａ）に沿ったプランジャ９０ａの移動は、シリンジ８６ａのノズル８９ａを通してシリンジ筒８８ａ内から流体を放出する。適切な導管（図示せず）が、一般的には、流体を所望の場所（例えば、患者）に方向付けるように、任意の適切な方式でノズル８９ａと流体的に相互接続される。同様に、シリンジ８６ｂは、シリンジ筒８８ｂ内で移動可能に配置される、プランジャまたはピストン９０ｂを含む。パワーヘッド５０の動作を介した、軸１００ｂ（図２Ａ）に沿ったプランジャ９０ｂの移動は、シリンジ８６ｂのノズル８９ｂを通してシリンジ筒８８ｂ内から流体を放出する。適切な導管（図示せず）が、一般的には、流体を所望の場所（例えば、患者）に方向付けるように、任意の適切な方式でノズル８９ｂと流体的に相互接続される。
【００５６】
シリンジ８６ａは、中間面板１０２ａを介してパワーヘッド５０と相互接続される。この面板１０２ａは、シリンジ筒８８ａの少なくとも一部を支持し、任意の追加機能性または機能性の組み合わせを提供／適応してもよい、クレードル１０４を含む。台８２ａが、面板１０２ａと連動するために、パワーヘッド５０上に配置され、パワーヘッド５０に対して固定される。シリンジ８６ａに対するシリンジプランジャ駆動アセンブリまたはシリンジプランジャドライバ５６（図２Ｃ）の各部分である、ラム７４（図２Ｃ）のラム連結器７６は、パワーヘッド５０上に載置されると、面板１０２ａに近接して位置付けられる。シリンジプランジャ駆動アセンブリ５６に関する詳細を、図２Ｃに関して以下でより詳細に論議する。概して、ラム連結器７６は、シリンジ８６ａのシリンジプランジャ９０ａと連結されてもよく、次いで、ラム連結器７６およびラム７４（図２Ｃ）は、軸１００ａ（図２Ａ）に沿ってシリンジプランジャ９０ａを移動させるように、パワーヘッド５０に対して移動させられてもよい。それは、シリンジプランジャ９０ａを移動させ、シリンジ８６ａのノズル８９ａを通して流体を放出する時に、ラム連結器７６がシリンジプランジャ９０ａと係合されるが、実際には連結されないようなものであってもよい。
【００５７】
面板１０２ａは、パワーヘッド５０上に面板１０２ａを載置するとともに、パワーヘッド５０上の台８２ａから面板１０２ａを除去するように、（それぞれ、シリンジプランジャ９０ａ、９０ｂの移動と関連し、図２Ａに図示される）軸１００ａ、１００ｂに対して直角である平面の少なくとも概して内側で移動させられてもよい。面板１０２ａは、シリンジプランジャ９０ａを、パワーヘッド５０上の対応するラム連結器７６と連結するために使用されてもよい。この点で、面板１０２ａは、一対のハンドル１０６ａを含む。概して、シリンジ８６ａが最初に面板１０２ａ内に位置付けられると、ハンドル１０６ａは順に、（それぞれ、シリンジプランジャ９０ａ、９０ｂの移動と関連し、図２Ａに図示される）軸１００ａ、１００ｂに対して直角である平面の少なくとも概して内側でシリンジ８６ａを移動／平行移動させるように、移動させられてもよい。ハンドル１０６ａを１つの位置に移動させることにより、少なくとも概して下向きの方向に（面板１０２ａに対して）シリンジ８６ａを移動／平行移動させて、シリンジプランジャ９０ａを、その対応するラム連結器７６と連結する。ハンドル１０６ａを別の位置に移動させることにより、少なくとも概して上向きの方向に（面板１０２ａに対して）シリンジ８６ａを移動／平行移動させて、シリンジプランジャ９０ａを、その対応するラム連結器７６から分断する。
【００５８】
シリンジ８６ｂは、中間面板１０２ｂを介してパワーヘッド５０と相互接続される。台８２ｂが、面板１０２ｂと連動するために、パワーヘッド５０上に配置され、パワーヘッド５０に対して固定される。シリンジ８６ｂに対するシリンジプランジャ駆動アセンブリ５６の各部分である、ラム７４（図２Ｃ）のラム連結器７６は、パワーヘッド５０に載置されると、面板１０２ｂに近接して位置付けられる。シリンジプランジャ駆動アセンブリ５６に関する詳細を、再度、図２Ｃに関して以下でより詳細に論議する。概して、ラム連結器７６は、シリンジ８６ｂのシリンジプランジャ９０ｂと連結されてもよく、ラム連結器７６およびラム７４（図２Ｃ）は、軸１００ｂ（図２Ａ）に沿ってシリンジプランジャ９０ｂを移動させるように、パワーヘッド５０に対して移動させられてもよい。それは、シリンジプランジャ９０ｂを移動させ、シリンジ８６ｂのノズル８９ｂを通して流体を放出する時に、ラム連結器７６がシリンジプランジャ９０ｂと係合されるが、実際には連結されないようなものであってもよい。
【００５９】
面板１０２ｂは、パワーヘッド５０上に面板１０２ｂを載置するとともに、パワーヘッド５０上の台８２ｂから面板１０２ｂを除去するように、（それぞれ、シリンジプランジャ９０ａ、９０ｂの移動と関連し、図２Ａに図示される）軸１００ａ、１００ｂに対して直角である平面の少なくとも概して内側で動かされてもよい。面板１０２ｂはまた、シリンジプランジャ９０ｂを、パワーヘッド５０上の対応するラム連結器７６と連結するために使用されてもよい。この点で、面板１０２ｂは、ハンドル１０６ｂを含んでもよい。概して、シリンジ８６ｂが最初に面板１０２ｂ内に位置付けられると、シリンジ８６ｂは、その長軸１００ｂ（図２Ａ）に沿って、面板１０２ｂに対して回転させられてもよい。この回転は、ハンドル１０６ｂを動かすことによって、シリンジ８６ｂを把持して旋回させることによって、または両方によって実現されてもよい。いずれの場合でも、この回転は、（それぞれ、シリンジプランジャ９０ａ、９０ｂの移動と関連し、図２Ａに図示される）軸１００ａ、１００ｂに対して直角である平面の少なくとも概して内側で、シリンジ８６ｂおよび面板１０２ｂの両方を移動／平行移動させる。シリンジ８６ｂを１つの方向に回転させることにより、少なくとも概して下向きの方向にシリンジ８６ｂおよび面板１０２ｂを移動／平行移動させて、シリンジプランジャ９０ｂを、その対応するラム連結器７６と連結する。シリンジ８６ｂを反対方向に回転させることにより、少なくとも概して上向きの方向にシリンジ８６ｂおよび面板１０２ｂを移動／平行移動させて、シリンジプランジャ９０ｂを、その対応するラム連結器７６から分断する。
【００６０】
図２Ｂに図示されるように、シリンジプランジャ９０ｂは、プランジャ本体９２と、シリンジプランジャ連結器９４とを含む。このシリンジプランジャ連結器９４は、プランジャ本体９２から離間したヘッド９６とともに、プランジャ本体９２から延在するシャフト９８を含む。ラム連結器７６のそれぞれは、ラム連結器７６の面の上のより小型のスロットの後に位置付けられる、より大型のスロットを含む。シリンジプランジャ連結器９４のヘッド９６は、ラム連結器７６のより大型のスロット内に位置付けられてもよく、シリンジプランジャ連結器９４のシャフト９８は、シリンジプランジャ９０ｂおよびその対応するラム連結器７６が連結状態または条件である時に、ラム連結器７６の面の上のより小型のスロットを通って延在してもよい。シリンジプランジャ９０ａは、その対応するラム連結器７６と連動するために、同様のシリンジプランジャ連結器９４を含んでもよい。
【００６１】
パワーヘッド５０は、電動注入器４０の場合では、シリンジ８６ａ、８６ｂから流体を放出するために利用される。つまり、パワーヘッド５０は、シリンジ８６ａ、８６ｂのそれぞれから流体を放出する原動力を提供する。シリンジプランジャ駆動アセンブリまたはシリンジプランジャドライバとして特徴付けられてもよいものの一実施形態が、図２Ｃに図示され、参照数字５６によって識別され、シリンジ８６ａ、８６ｂのそれぞれから流体を放出するために、パワーヘッド５０によって利用されてもよい。別個のシリンジプランジャ駆動アセンブリ５６が、シリンジ８６ａ、８６ｂのそれぞれに対するパワーヘッド５０に組み込まれてもよい。この点で、図２Ａ−Ｂを再度参照すると、パワーヘッド５０は、シリンジプランジャ駆動アセンブリ５６のそれぞれを別々に制御する際に使用するための手動ノブ８０ａおよび８０ｂを含んでもよい。
【００６２】
最初に、図２Ｃのシリンジプランジャ駆動アセンブリ５６に関して、その個々の構成要素のそれぞれは、任意の適切なサイズ、形状、構成、および／または種類であってもよい。シリンジプランジャ駆動アセンブリ５６は、出力シャフト６０を有するモータ５８を含む。駆動歯車６２が、モータ５８の出力シャフト６０上に載置され、それとともに回転する。駆動歯車６２は、被駆動歯車６４と係合されるか、または少なくとも係合可能である。この被駆動歯車６４は、駆動ネジまたはシャフト６６上に載置され、それとともに回転する。周囲で駆動ネジ６６が回転する軸は、参照数字６８によって識別される。１つ以上の軸受７２が、駆動ネジ６６を適切に支持する。
【００６３】
台車またはラム７４が、駆動ネジ６６上に移動可能に載置される。概して、１つの方向への駆動ネジ６６の回転が、対応するシリンジ８６ａ／ｂの方向へ駆動ネジ６６に沿って（それにより、軸６８に沿って）ラム７４を軸方向に前進させる一方で、反対方向への駆動ネジ６６の回転は、対応するシリンジ８６ａ／ｂから離れて駆動ネジ６６に沿って（それにより、軸６８に沿って）ラム７４を軸方向に前進させる。この点で、駆動ネジ６６の少なくとも一部の周囲は、ラム７４の少なくとも一部と連動するらせんネジ山７０を含む。ラム７４はまた、駆動ネジ６６の回転中にラム７４が回転することを可能にしない、適切なブッシング７８内で移動可能に載置される。したがって、駆動ネジ６６の回転は、駆動ネジ６６の回転方向によって判定される方向で、ラム７４の軸方向移動を提供する。
【００６４】
ラム７４は、対応するシリンジ８６ａ／ｂのシリンジプランジャ９０ａ／ｂのシリンジプランジャ連結器９４と着脱可能に連結されてもよい、連結器７６を含む。ラム連結器７６およびシリンジプランジャ連結器９４が適切に連結されると、シリンジプランジャ９０ａ／ｂは、ラム７４とともに移動する。図２Ｃは、シリンジ８６ａ／ｂが、ラム７４に連結されることなく、その対応する軸１００ａ／ｂとともに移動させられてもよい、構成を図示する。そのシリンジプランジャ９０ａ／ｂのヘッド９６がラム連結器７６と整列しているが、軸６８が依然として図２Ｃのオフセット構成にある状態で、それに沿ってラム７４が移動する軸６８に対して直角である平面内で、シリンジ８６ａ／ｂが平行移動させられてもよいように、シリンジ８６ａ／ｂは、その対応する軸１００ａ／ｂとともに移動させられる。このことは、上記の方式でラム連結器７６とシリンジプランジャ連結器９６との間で連結係合を確立する。
【００６５】
図１および２Ａ−Ｃの電動注入器１０、４０はそれぞれ、流体が対象（例えば、患者）に注入される医用画像用途を無制限に含む、任意の適切な用途に使用されてもよい。電動注入器１０、４０の代表的な医用画像用途は、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像を無制限に含む。電動注入器１０、４０はそれぞれ、単独で、または１つ以上の他の構成要素と組み合わせて使用することができる。電動注入器１０、４０はそれぞれ、例えば、情報が電動注入器１０、４０と１つ以上の他の構成要素との間で伝えられてもよいように（例えば、スキャン遅延情報、注入開始信号、注入速度）、１つ以上の構成要素と動作可能に相互接続されてもよい。
【００６６】
単一ヘッド構成（単一のシリンジ用）および二重ヘッド構成（２つのシリンジ用）を無制限に含む、任意の数のシリンジが、電動注入器１０、４０のそれぞれによって利用されてもよい。多重シリンジ構成の場合は、各電動注入器１０、４０は、任意の好適な方式で、任意のタイミングシーケンスに従って、種々のシリンジから流体を放出してもよい（例えば、２つ以上のシリンジからの連続放出、２つ以上のシリンジからの同時放出、またはそれらの任意の組み合わせ）。複数のシリンジが、（例えば、単一の注入部位に提供するために）共通導管の中へ放出してもよく、または１つのシリンジが、（例えば、１つの注入部位に提供するために）１つの導管の中へ放出してもよい一方で、別のシリンジは、（例えば、異なる注入部位に提供するために）異なる導管の中へ放出してもよい。電動注入器１０、４０のそれぞれによって利用される、それぞれのそのようなシリンジは、任意の適切な流体（例えば、医用流体）、例えば、造影剤、放射性医薬品、生理食塩水、およびそれらの任意の組み合わせを含んでもよい。電動注入器１０、４０のそれぞれによって利用される、それぞれのそのようなシリンジは、任意の適切な方式で設置されてもよい（例えば、後方装填構成が利用されてもよい、前方装填構成が利用されてもよい、側面装填構成が利用されてもよい）。
【００６７】
図３および４Ａ〜Ｂは、電動注入器または任意の他の適切な注入デバイスと関連して使用され得る、シリンジ１１０の一実施形態を示す。以下、シリンジ１１０は、電動注入器４０（図２Ａ〜Ｃ）と併せて説明されるが、シリンジ１１０は、任意の適切な電動注入器（例えば、図１の電動注入器１０）とともに使用され得ることを理解されたい。概して、シリンジ１１０は、シリンジ１１０が再利用される可能性を低減するために、流体が前回の医療処置でシリンジ１１０から放出された可能性があるという透明の視覚表示を提供するように適合される。医療専門家は、いったんシリンジが患者に関連して放出されると、そのシリンジを別の患者に対して再利用すること、または最初にシリンジ１１０を滅菌することなく、それを同じ患者に対して別の医療処置のために再利用することでさえ不衛生であり得るため、シリンジを誤って再利用することを防ごうと努める。
【００６８】
本実施形態では、シリンジ１１０は、内部の流体放出チャンバ１１２ａを有するシリンジ本体１１２と、ノズル１１８とを含む。プランジャ１１４は、シリンジ本体１１２内に移動可能に配置され、シリンジプランジャ連結器１１６（例えば、注入デバイスと相互作用するための）を含み得る。ノズル１１８を通して流体を放出するために、シリンジプランジャ連結器１１６は、シリンジ本体１１２に対してシリンジプランジャ１１４を前進させるように（例えば、流体放出チャンバ１１２ａを通してシリンジプランジャ１１４を前進させるように）、電動注入器４０（図２Ａ〜Ｃ）のシリンジプランジャ駆動アセンブリ５６（図２Ｃ）と相互作用してもよい。この方法でシリンジ１１０から放出するために電動注入器４０を使用することによって、比較的高い圧力がシリンジ１１０内で生成され得る。この点で、感圧材料の区画１２０は、シリンジ本体１１２の外面１２４とシリンジ本体１１２の外面１２４に適切に取り付けられるラベル１２２との間に配置されてもよい（例えば、感圧材料１２０が内部流体放出チャンバ１１２ａから流体的に分離されるように）。感圧材料１２０は、感圧材料の区画１２０が、シリンジ本体１１２の任意の適切な加圧レベルに反応して、第１の状態から第２の状態まで移動または変化するように、圧力の変化に光学的に検出可能な反応を示す任意の材料の形態であってもよい（例えば、感圧接着剤、ポリマー、ゲル、発泡体等）。例えば、感圧材料の区画１２０は、電動注入器４０（図２Ａ〜Ｃ）がシリンジ本体１１２を加圧する（例えば、シリンジ本体１１２内で少なくとも１５ｐｓｉの内圧を発生させる）ときに、第１の色から第２の色まで変化してもよい。
【００６９】
一実施形態では、ラベル１２２は、ラベル１２２とシリンジ本体１１２の外面１２４との間の感圧材料の区画１２０を完全に含有するのに十分である、任意の適切なサイズまたは形状であり得る。特に、図３に示すオフセット周囲１２６を超えて、ラベル１２２は、図４Ａ〜Ｂに示すように、ラベル１２２の下に感圧材料の区画１２０を完全に含有するように、シリンジ本体１１２の外面１２４に直接貼り付けられてもよい。この方法は、感圧材料の区画１２０がラベル１２２の縁を超えて露出される可能性を低減する。しかしながら、いくつかの実施形態は、オフセット周囲１２６を含まない場合があることを理解されたい。例えば、感圧材料の区画１２０が、ラベル１２２をシリンジ本体１１２の外面１２４に接着させる感圧接着剤を含む場合、感圧材料の区画１２０は、ラベル１２２の全範囲の下に延在し得る。
【００７０】
ラベル１２２はまた、感圧材料の区画１２０が、シリンジ１１０から放出された前後両方において、感圧材料の区画１２０を観察し得る操作者に見える透明部分１２８を含んでもよい。透明部分１２８は、感圧材料１２０の可視性を最大にするような任意の適切な形状またはサイズであってもよい。
【００７１】
電動注入器への設置および電動注入器との使用のためのシリンジ１４０の別の実施形態を、図５Ａ〜Ｅに示す。以下、シリンジ１４０は、電動注入器４０（図２Ａ〜Ｃ）と併せて説明されるが、シリンジ１４０は、任意の適切な電動注入器（例えば、図１の電動注入器１０）、または任意の他の適切な注入デバイスとともに使用され得ることを理解されたい。この実施形態では、シリンジ１４０は、シリンジ本体１４２と、ノズル１４６と、シリンジ本体１４２とノズル１４６との間に配置される錐台状部または円錐移行部１５０とを含む。移動可能なディンプル１５２は、円錐移行部１５０上に配置され、移動可能なディンプル１５２は、円錐移行部１５０の内側に対して凸状である（内部、シリンジ１４０の流体含有容積、または内部流体放出チャンバ１４２ａとの関連を含む）。さらに、チャネルまたは溝１５６が、円錐移行部１５０およびシリンジ本体１４２に差し込まれ得る（例えば、チャネル１５６は、シリンジ１４０の外部上に形成されてもよい、またはチャネル１５６は、別様に、内部流体放出チャンバ１４２ａから流体的に分離されるように）。チャネル１５６は、円錐移行部１５０の移動可能なディンプル１５２からシリンジ本体１４２に後退し、次いで、シリンジ本体１４２の長さの少なくとも一部に沿って（例えば、シリンジ本体１４２の長さの少なくとも約１０％に沿って）延在する。封入された流体源１５８（例えば、ブリスター包装）は、可鍛性、変形可能、および／または破裂可能な容器１６６内に封入される、ある量の表示流体１６４を含む。封入された流体源１５８は、移動可能なディンプル１５２内、ならびに封入された流体源１５８およびチャネル１５６の全長の両方を被覆または包囲するように構成される、ラベル１４８の下方／底面に配置されてもよい。容器１６６は、特定の量の圧力への曝露時に破裂するのに十分に適合した、任意の適切な物質から形成されてもよい。
【００７２】
上記のシリンジ１１０と同様に、シリンジ１４０は、シリンジプランジャ１４３のシリンジプランジャ連結器１４４を通して、電動注入器４０（図２Ａ〜Ｃ）のシリンジプランジャドライバアセンブリ５６（図２Ｃ）と相互作用してもよい。相互作用の関係で配置された場合、シリンジプランジャドライバアセンブリ５６（図２Ｃ）は、シリンジ本体１４２に対してシリンジプランジャ１４３を前進させ、ノズル１４６から流体を放出してもよい。シリンジプランジャ１４３が前進するにつれて、圧力がシリンジ本体１４２内で上昇し、移動可能なディンプル１５２を、ディンプル１５２が、次いで、円錐移行部１５０の内側（例えば、シリンジ１４０の内部）に対して凹状、およびシリンジ１４０の外部に対して凸状であってもよい位置に反転させる。この移動は、移動可能なディンプル１５２とラベル１４８との間で封入された流体源１５８を圧縮し、封入された流体源１５８を破裂させ、それによって、表示流体１６４を放出し、それが、図５Ｃおよび５Ｅに示すように、移動可能なディンプル１５２からチャネル１５６の遠位端１６２まで、チャネル１５６に沿って流動することを可能にする。
【００７３】
本実施形態では、ラベル１４８は、少なくとも、チャネル１５６の近位端１６０からチャネル１５６の遠位端１６２に延在する、透明部分１４９を含んでもよく、操作者は、表示流体１６４がチャネル１５６内に存在することを観察し、シリンジ１４０が以前に放出されたことを知ることができる。顕著な視覚表示を可能にするために、表示流体１６４は、表示流体１６４がチャネル１５６に沿って流動することを可能にする適切な粘度の任意の着色流体であってもよい。
【００７４】
場合によっては、移動可能なディンプル１５２内に封入された流体源１５８を配置する必要がなくてもよい。概して、および図１に関して上記に考察するように、いくつかの注入処置は、シリンジ内で生成される比較的高い圧力をもたらし得る。この点で、シリンジは、シリンジを圧力下で破裂することから保護する圧力ジャケット内に配置されてもよい。圧力ジャケットは、一般的には、パワーヘッド上にシリンジを設置するステップの一部として、またはそのステップの後に、シリンジがその中に配置されることを可能にする方式で、電動注入器のパワーヘッドと関連付けられる。当業者は、概して、圧力ジャケットがシリンジと関連して使用される場合、上記のように、移動可能なディンプル内に封入された流体源またはブリスター包装を配置する必要がなくなる可能性があることを理解するであろう。代わりに、封入された流体源は、シリンジの外面と圧力ジャケットの内面との間に配置されてもよい。シリンジが加圧された時、シリンジは、封入された流体源がシリンジの外面と圧力ジャケットの内面との間で圧縮され、破裂するように変形し、それによって、表示流体を放出し、チャネルに沿って流動させる。そのような実施形態を図６Ａ〜Ｅに示す。
【００７５】
さらに詳しく、図６Ａ〜Ｅは、電動注入器とともに使用するためのシリンジ１７０の別の実施形態を示す。以下、シリンジ１７０は、電動注入器４０（図２Ａ〜Ｃ）と併せて説明されるが、シリンジ１７０は、任意の適切な電動注入器（例えば、図１の電動注入器１０）とともに使用されてもよいことを理解されたい。本実施形態では、シリンジ１７０は、圧力ジャケット１７２内に配置される。シリンジ１７０は、シリンジ本体１７４と、ノズル１７６と、シリンジ本体１７４とノズル１７６との間に配置される、錐台状部または円錐移行部１７８とを含む。チャネルまたは溝１８２が、円錐移行部１７８およびシリンジ本体１７４に差し込まれてもよい（例えば、チャネル１８２は、シリンジ１７０の外部上に形成されてもよい、またはチャネル１８２は、別様に、内部流体放出チャンバ１７４ａから流体的に分離されるように）。チャネル１８２は、近位端１９２（例えば、円錐移行部１７８のほぼ中間点に位置する）から、遠位端２０６（例えば、（例えば、シリンジ本体１７４の長さの少なくとも約１０％に沿って位置する）に延在する。チャネル１８２の近位端１９２は、封入された流体源１８４（例えば、ブリスター包装）の直径を収容するように構成される。封入された流体源１８４は、可鍛性、変形可能、および／または破裂可能な容器１８８内に封入される、ある量の表示流体１８６を含む。封入された流体源１８４は、円錐移行部１７８の外部と圧力ジャケット１７２の内面１９４との間の間隙２０２を埋めるために、チャネル１８２から外向きに突出するように、チャネル１８２の近位端１９２に配置されてもよい。ラベル１９０は、封入された流体源１８４を覆って配置され、チャネル１８２の長さを覆って延在してもよい。上記のように、容器１８８は、特定の量の圧力の印加時に破裂するのに十分に適合した、任意の適切な物質であってもよい。
【００７６】
上記のシリンジ１１０、１４０と同様に、シリンジ１７０は、シリンジプランジャ１９８のシリンジプランジャ連結器１９６を通して、電動注入器４０（図２Ａ〜Ｃ）のシリンジプランジャドライバアセンブリ５６（図２Ｃ）と相互作用してもよい。相互作用の関係で配置された場合、シリンジプランジャドライバアセンブリ５６（図２Ｃ）は、シリンジ本体１７４に対してシリンジプランジャ１９８を前進させ、ノズル１７６から流体を放出してもよい。シリンジ１７０の得られる圧力は、シリンジ１７０の円錐移行部１７８を変形させること、シリンジ１７０を圧力ジャケット１７２に対して軸方向に移動させること、またはその両方をもたらし得、結果として、封入された流体源１８４は、円錐移行部１７８の外部と圧力ジャケット１７２の内面１９４との間で押しつけられ、それによって、封入された流体源１８４を破裂させ、表示流体１８６を放出し、図６Ｃおよび６Ｅに示すように、チャネル１８２の近位端１９２からチャネル１８２の遠位端２０６に流動させる。
【００７７】
本実施形態では、ラベル１９０は、は、少なくとも、チャネル１８２の近位端１９２からチャネル１８２の遠位端２０６に延在する、透明部分２０４を含んでもよく、操作者は、表示流体１８６がチャネル１８２内に存在することを観察し、シリンジ１７０が以前に放出されたことを知ることができる。顕著な視覚表示を可能にするために、表示流体１８６は、いったん封入された流体源１８４が破裂すると、表示流体１８６がチャネル１８２に沿って流動することを可能にする、適切な粘度の任意の着色流体であってもよい。
【００７８】
電動注入器への設置および電動注入器との使用のためのシリンジ２１０の別の実施形態を、図７に示す。以下、シリンジ２１０は、電動注入器１０（図１）と併せて説明されるが、シリンジ２１０は、任意の適切な電動注入器（例えば、図２Ａ〜Ｃの電動注入器４０）とともに使用され得ることを理解されたい。該して、シリンジによって使用される視覚表示器は、ある特定の波長の、または波長範囲内の光に曝露された時に状態（例えば、色）を変化させる。一実施形態では、紫外線（ＵＶ）光源が利用され、シリンジ２１０は、紫外線（ＵＶ）光源に関して考察される。他の光源が適している場合もある。
【００７９】
図７の実施形態では、紫外線（「ＵＶ」）光に感受性がある材料の区画、または紫外線感受性材料の区画２２０が、シリンジ本体２１２の外面２１４と少なくとも部分的に透明であるラベル２２２との間に配置されてもよい。ＵＶ感受性材料２２０は、ＵＶ光への曝露に光学的に検出可能な反応を示す、任意の材料の形態であってもよい（例えば、ＵＶ感受性接着剤、ゲル、発泡体、塗料等）。例えば、ＵＶ感受性材料の区画２２０は、ＵＶ光に曝露された時に、第１の色から第２の色に変化してもよい。
【００８０】
ＵＶ感受性材料の区画２２０を起動するために、パワーヘッド１２（図１）は、照らされる時に、シリンジ本体２１２のＵＶ感受性材料の区画２２０が、一筋のＵＶ光２２６に直接曝露される方法でＵＶ光源２１６を位置付ける、任意の適切な方法でＵＶ光源２１６を組み込んでもよい（例えば、光源２１６は、ファスナ、クランプ、ストラップ、接着剤等によって、パワーヘッド１２に固定可能または取り外し可能に載置されてもよい）。また、ＵＶ光源２１６が、電動注入器１０の他の構成要素、または任意の他の適切な表面もしくは構造と相互接続されてもよいことを理解されたい。一実施形態では、光源２１６は、手持ち式ユニットであってもよい。注入処置中、ＵＶ光源２１６は、電動注入器がシリンジ１７０から流体を放出する前または後に点滅してもよく、それによって、ＵＶ感受性材料の区画２２０をＵＶ光に曝露させ、それを第１の状態から第２の状態（例えば、第１の色から第２の色）まで移行させる。この点で、ＵＶ光源２１６は、手動で起動されてもよく、または起動は、パワーヘッド１２がＵＶ光源２１６を制御するように、電動注入もしくは動作プロトコルと統合されてもよい（例えば、制御論理は、ラム２０が前進させられた時に、光源１１２を起動してもよい）。
【００８１】
一実施形態では、ラベル２２２は、ラベル２２２とシリンジ本体２１２の外面２１４との間で、ＵＶ感受性材料の区画２２０を完全に含有するのに十分な任意の適切なサイズまたは形状であってもよい。特に、オフセット周囲２１８を超えて、ラベル２２２は、図７に示すように、オフセット周囲２１８内にＵＶ感受性材料の区画２２０を完全に含有するように、シリンジ本体２１２の外面２１４に直接貼り付けられてもよい。他の実施形態では、オフセット周囲２１８が必要ではないことを理解されたい。例えば、一実施形態では、ＵＶ感受性材料の区画２２０は、ＵＶ感受性添加剤で処理されたラベル接着剤の形態であってもよい。本実施形態では、ＵＶ感受性材料の区画２２０は、ラベル２２２の下の全範囲に及んでもよく、それは、接着剤の一部または全部がラベル２２２を通して見えるように、部分的または完全に透明であってもよい。ラベル２２２が完全に透明ではない場合、ＵＶ感受性材料の区画２２０が、シリンジ２１０が注入処置中にＵＶ光に曝露される前後両方において、ＵＶ感受性材料の区画２２０を観察し得る操作者に見える、少なくとも１つの透明部分２２４を含んでもよい。透明部分２２４は、可視性を最大にするような任意の適切な形状またはサイズであってもよい。
【００８２】
本明細書に開示する種々のシリンジは、言及するように、電動注入器と併用されてもよい。それらはまた、他の注入デバイスとの使用にも適切であり得る。例えば、本明細書に開示するシリンジのそれぞれは、２００６年５月９日出願の「ＨＡＮＤ−ＨＥＬＤ，ＨＡＮＤ  ＯＰＥＲＡＴＥＤ  ＰＯＷＥＲ  ＳＹＲＩＮＧＥ  ＡＮＤ  ＭＥＴＨＯＤＳ」と題する、米国特許第７，０４１，０８４号によって開示される種類の手持ち式の手動注入器とともに使用されてもよい。
【００８３】
本発明の前述の説明は、例示および説明のために提示されている。さらに、本説明は、本発明を本明細書で開示される形態に限定することを目的としない。その結果として、変化例および修正は、上記の教示に相応であり、関連技術の技能および知識は、本発明の範囲内である。上記で説明される実施形態はさらに、本発明を実践する公知の最良のモードを説明すること、および、そのような実施形態または他の実施形態で、かつ本発明の特定の用途または使用法によって必要とされる種々の修正とともに、当業者が本発明を利用できるようにすることを目的とする。添付の請求項は、従来技術によって可能となる程度で、代替的実施形態を含むと解釈されることが意図される。
【図１】
2014138902.tif 000003
【図２Ａ】
2014138902.tif 000004
【図２Ｂ】
2014138902.tif 000005
【図２Ｃ】
2014138902.tif 000006
【図３】
2014138902.tif 000007
【図４Ａ】
2014138902.tif 000008
【図４Ｂ】
2014138902.tif 000009
【図５Ａ】
2014138902.tif 000010
【図５Ｂ】
2014138902.tif 000011
【図５Ｃ】
2014138902.tif 000012
【図５Ｄ】
2014138902.tif 000013
【図５Ｅ】
2014138902.tif 000014
【図６Ａ】
2014138902.tif 000015
【図６Ｂ】
2014138902.tif 000016
【図６Ｃ】
2014138902.tif 000017
【図６Ｄ】
2014138902.tif 000018
【図６Ｅ】
2014138902.tif 000019
【図７】
2014138902.tif 000020
【外国語明細書】
2014138902000001.pdf